(57)【要約】      （修正有）【課題】使用前は十分な密封性を有し、簡便に作製することができ、使用時は安全、迅速、かつ湯残り無く湯切りができる湯切り機能付き即席食品包装容器を提供。【解決手段】上面開口する容器本体１と、容器本体のフランジ１ａに接着密封する蓋材２とからなり、蓋材が基材フィルム１１／第一接着層１２／バリアフィルム１３／第二接着層１４／有孔フィルム１５の順に積層されたフィルムからなり、蓋材は、湯切り口を開口する湯切り用張出部とから構成され、湯切り用張出部外周の一点から、フランジと蓋材が接着された第一接着部まで、第一接着部から湯切り用張出部が設けられた側のフランジと蓋材の接着部分を経由して第二接着部まで、かつ、第二接着部から湯切り用張出部の外周の他の一点までに、孔径２〜５ｍｍ、孔の間隔３〜１０ｍｍの二つ以上の孔が開孔され、有孔フィルム側から貫通して第二接着層に達する切り込み３２を設けた。【選択図】図２
2005047554.tif 000002
【特許請求の範囲】
【請求項１】
上面に開口部を有する容器本体と、上記容器本体の開口部に設けられたフランジに接着して内容物の食品を密封する蓋材とからなり、
上記蓋材が、外側から上記フランジに接する内側に向かって、基材フィルム／第一接着層／バリアフィルム／第二接着層／有孔フィルムの順に積層された多層フィルムからなり、
上記蓋材は、上記容器本体を密封するための蓋材本体と、上記蓋材本体の周縁部の少なくとも一部を、上記フランジより外側に張り出させて、湯切り口を開口するための湯切り用張出部とから構成され、
上記湯切り用張出部の外周の一点から、上記フランジと上記蓋材とが接着された部分である第一接着部まで、上記第一接着部から、上記湯切り用張出部が設けられた側の上記フランジと上記蓋材との接着部分を経由して第二接着部まで、かつ、上記第二接着部から、上記湯切り用張出部の外周の他の一点までのそれぞれの間に、上記蓋材の有孔フィルム側から上記有孔フィルムを貫通して上記第二接着層まで達する切り込みを設け、
上記有孔フィルムには二つ以上の孔が開孔され、それぞれの孔の孔径は２〜５ｍｍの範囲であり、かつ、孔の中心同士の間隔が３〜１０ｍｍである、湯切り機能付き即席食品包装容器。
【請求項２】
上記蓋材の、上記第二接着層と上記有孔フィルムとの接着強度が０．２〜１．０Ｎ／１５ｍｍであり、かつ、上記バリアフィルムと上記第二接着層との接着強度が１．０〜２０Ｎ／１５ｍｍであり、
上記第二接着層と上記有孔フィルムとの界面を、上記バリアフィルムと上記第二接着層との界面より剥離しやすくした、請求項１に記載の湯切り機能付き即席食品包装容器。
【請求項３】
上記有孔フィルムが、片面に熱接着性樹脂層を積層させた、二軸延伸ポリプロピレンフィルムと、シーラント材とからなる積層フィルムであって、
上記シーラント材を上記フランジ側表面に配し、上記二軸延伸ポリプロピレンフィルムを上記第二接着層側表面に配し、上記二軸延伸ポリプロピレンフィルムに積層した熱接着性樹脂層が上記シーラント材側に位置する請求項１又は２に記載の湯切り機能付き即席食品包装容器。
【請求項４】
上記第二接着層と上記有孔フィルムとの境界面のうち、少なくとも上記切り込みの周囲に離型剤を塗布した離型層を設けた請求項１乃至３のいずれかに記載の湯切り機能付き即席食品包装容器。
【請求項５】
上記蓋材は、上記蓋材の周縁部の一端から別の周縁部の一端までを繋ぎ、上記基材フィルムから上記第二接着層まで貫通された剥離用切目線を設けられ、
上記剥離用切目線によって区切られる上記蓋材の二つの領域のうち、上記湯切り用張出部が存在する側にある、上記フランジの内縁と上記剥離用切目線とに囲まれた領域内に、上記有孔フィルムが１つ以上の上記孔を有する、請求項１乃至４のいずれかに記載の湯切り機能付き即席食品包装容器。
【請求項６】
請求項１乃至５のいずれかに記載の湯切り機能付き即席食品包装容器の上記蓋材の上記第二接着層を、低密度ポリエチレンを原料として押出ラミネート法によって形成させ、その溶融押出温度を２５０〜２９０℃とする、湯切り機能付き即席食品包装容器の製造方法。
【発明の詳細な説明】
【技術分野】
【０００１】
この発明は、湯切り機能付き即席食品用包装容器に関する。
【背景技術】
【０００２】
従来、ラーメン、焼きそば、スパゲティ、白米、赤飯等、喫食に際して注湯を行い、その後に湯切り作業を必要とするインスタント食品用のカップ容器としては、発泡ビーズカップ製の容器本体に、シート成形により作製されたプラスチック樹脂性の蓋材を被せたかぶせ蓋方式が広く使用されている。この蓋材は周縁部が上記容器本体と嵌合できる構造をし、その周縁部付近の一部に複数のＵ字状をしたツメの切り込みを設けており、そのツメを立てて湯切りを行うことができる。
【０００３】
しかしこのかぶせ蓋方式は、容器本体に蓋材が被せてあるだけなので、密封性がなく、また、上記ツメは一部にしか形成させることができないため、湯切りが完了するまでの時間が非常にかかってしまう問題を有する。さらに、湯切り時には上記容器本体と上記蓋材との嵌合を保つために、周縁部付近の対向する二箇所を手で押さえなければならず、熱くて持っていられなくなる可能性があり、また、湯と内容物の重みで嵌合が外れてしまい、内容物がこぼれ落ちる可能性もあった。
【０００４】
この問題を解決するために、蓋材を複合シートと表面シートとの間に剥離剤が塗布された剥離領域と、両シート間に剥離剤を塗布しない非剥離領域とに分け、剥離領域内の非剥離領域の複合シートに円形の湯切り口ハーフカットを複数入れた湯切り孔付き蓋が特許文献１に記載されている。この蓋材を容器から剥がす場合、剥離剤が塗布された剥離領域の表面シートは複合シートから剥離してめくることができるが、湯切り口ハーフカットで囲まれた部分は、剥離剤が塗られていないため剥離されずに、表面シートとともに複合シートの層までめくられ、容器上に残された複合シート上に孔が形成される。そして、この孔から湯切りをすることができる。
【０００５】
【特許文献１】特開２０００−２２９６７４号公報
【発明の開示】
【発明が解決しようとする課題】
【０００６】
しかしながら、特許文献１の方法では、剥離領域内における剥離剤の塗布位置と、湯切り口ハーフカット位置との高度な見当精度が必要であるとともに、ハーフカット自体の深さについても高度なカッティング技術が必要となるため、製造工程が複雑で非常に手間が掛かっていた。
【０００７】
また、ハーフカットの精度を保つために、孔をある一定以上の大きさに保たざるを得ず、湯切り時に麺やかやく等が流出するおそれがあった。
【０００８】
そこでこの発明は、喫食に際して注湯した後に湯切りを行う即席食品において、使用前は十分な密封性を有し、より簡便な方法で作製することができ、使用時にはより安全、迅速に、かつ湯残り無く湯切りを行うことができる包装容器を提供することを目的とする。
【課題を解決するための手段】
【０００９】
この発明は、上面に開口部を有する容器本体と、上記容器本体の開口部に設けられたフランジに接着して内容物の食品を密封する蓋材とからなり、上記蓋材が、外側から上記フランジに接する内側に向かって、基材フィルム／第一接着層／バリアフィルム／第二接着層／有孔フィルムの順に積層された多層フィルムからなり、上記蓋材は、上記容器本体を密封するための蓋材本体と、上記蓋材本体の周縁部の少なくとも一部を、上記フランジより外側に張り出させて、湯切り口を開口するための湯切り用張出部とから構成され、上記湯切り用張出部の外周の一点から、上記フランジと上記蓋材とが接着された部分である第一接着部まで、上記第一接着部から、上記湯切り用張出部が設けられた側の上記フランジと上記蓋材との接着部分を経由して第二接着部まで、かつ、上記第二接着部から、上記湯切り用張出部の外周の他の一点までのそれぞれの間に、上記蓋材の有孔フィルム側から上記有孔フィルムを貫通して上記第二接着層まで達する切り込みを設け、上記有孔フィルムには二つ以上の孔が開孔され、それぞれの孔の孔径は２〜５ｍｍの範囲であり、かつ、孔の中心同士の間隔が３〜１０ｍｍである、湯切り機能付き即席食品包装容器によって、上記の問題を解決したのである。
【００１０】
蓋材を容器本体に接着させるので、開封するまでは密封性を向上させることができる。また、開封時には切り込みを端として第二接着層より外側の層を剥がし、孔の開いた有孔フィルムを露出させて湯切りを行うが、有孔フィルムは容器本体に接着したままとなるので湯切り付近を手で押さえておく必要が無くなる。さらに、あらかじめ孔の開いた有孔フィルムを積層させて蓋材を作製するため、蓋の作製時には複雑な手順を必要とせず、簡便な方法で孔を開けることができる。そのため、湯切りの際に内容物が落下しにくい小さな孔を開けておくことができ、湯切り時にはその孔の位置、数、大きさにより、容易にすばやく湯切りを行うことができる。
【発明の効果】
【００１１】
この発明にかかる湯切り機能付き即席食品包装容器を用いると、蓋材を容器本体に接着させるので、開封するまでは密封性を向上させることができる。
【００１２】
また、開封時には切り込みを端として第二接着層より外側の層を剥がし、孔の開いた有孔フィルムを露出させて湯切りを行うが、有孔フィルムは容器本体に接着したままとなるので湯切り付近を手で押さえておく必要が無くなる。
【００１３】
さらに、あらかじめ孔の開いた有孔フィルムを積層させて蓋材を作製するため、蓋の作製時には複雑な手順を必要とせず、簡便な方法で孔を開けることができる。そのため、湯切りの際に内容物が落下しにくい小さな孔を開けておくことができ、湯切り時にはその孔の位置、数、大きさにより、容易にすばやく、かつ湯残り無く、湯切りを行うことができる。
【発明を実施するための最良の形態】
【００１４】
以下、この発明を詳細に説明する。この発明は、図１（ａ）（ｂ）に示すように、上面に開口部を有する容器本体１と、この容器本体１の開口部に設けられたフランジ１ａに接着して内容物の食品３を密封する蓋材２とからなる。上記フランジ１ａは、少なくとも蓋材２を接着させることができるだけの平面積を持っている。
【００１５】
上記蓋材２は、図２（ａ）に示すような、外側から上記フランジに接する内側へ向かって基材フィルム１１／第一接着層１２／バリアフィルム１３／第二接着層１４／有孔フィルム１５の順に積層された積層フィルムを切り抜いたものである。
【００１６】
上記の基材フィルム１１は、蓋材２の最外部になり、この発明にかかる密封容器を商品として使用する場合に、製品の内容を表示して購買者に訴える役割を有するため、印刷性能の良好な材料から構成されることが好ましい。この材料としては紙等の蓋として必要な剛性のあるものが挙げられる。この紙の例としては、片アート紙やコート紙、晒クラフト、上質紙等が挙げられる。また、基材フィルム１１として紙を用いる場合は、耐水性や耐久性を持たせるために、セロハン、ポリエステルフィルム、一軸延伸ポリプロピレンフィルム、二軸延伸ポリプロピレン（以下「ＯＰＰ」と称する。）フィルム、二軸延伸ポリアミドフィルム等のフィルム材料を上記の紙類の層に接着剤で貼り合わせた複合フィルムであるとより望ましい。上記ポリエステルフィルムとしては、例えばポリエチレンテレフタレート（以下、「ＰＥＴ」と称する。）フィルムが挙げられる。また、上記の紙類の層と上記フィルム材料等を貼り合わせる接着剤としては、例えば押出ラミネート法による低密度ポリエチレンやポリウレタン系接着剤等が挙げられる。
【００１７】
上記のバリアフィルム１３は、蓋材２の密封性を確保するため、ガスバリア性の高いことが必要である。このようなガスバリアフィルム１３の例としては、アルミニウム箔、アルミニウム蒸着された二軸延伸ＰＥＴフィルム、酸化アルミニウム蒸着された二軸延伸ＰＥＴフィルム、酸化珪素蒸着された二軸延伸ＰＥＴフィルムなどが挙げられる。
【００１８】
上記有孔フィルム１５は、内容物の食品３を落下させることなく湯切りを行うために、複数の孔が開孔されていることが必要である。上記孔の形状は特に限定されないが、円形であると開孔しやすいため望ましい。孔の孔径は、２〜５ｍｍであることが必要であり、２．５〜４ｍｍであればより望ましい。２ｍｍ未満では、湯切りの際に湯が流れ出るのに時間がかかりすぎてしまうことがある。一方で、５ｍｍを超えると、湯切りの際に内容物の食品３が孔から落下してしまうおそれがある。
【００１９】
上記孔の中心同士の間隔は、３〜１０ｍｍであることが必要であり、５〜１０ｍｍであることが望ましい。なお、孔を形成させるために、上記の間隔は上記孔の孔径より大きくなくてはならない。上記の間隔が３ｍｍ未満であると、孔の孔径が最小の２ｍｍであっても孔と孔との間で強度が維持しきれずに、有孔フィルム１５が破れる可能性がある。一方で、上記の間隔が１０ｍｍより長いと、形成される孔の個数が少なすぎて、湯切りに時間がかかりすぎるおそれがある。なお、上記の孔の配置は偏在していないことが望ましく、並びが縦横に直交したり、直線上又は弧上に整然と並んでいたりすると視覚的に美しいためより望ましい。また、湯残りを起こさないように、容器本体１に接着した際にフランジ１ａに隣接する孔があるとなお望ましい。
【００２０】
上記の孔を開ける方法としては、特に限定するものではないが、第二接着層１４と接着させる前にあらかじめ孔を開けておくと、深さ等の細かい微調整を必要としないため望ましい。その際に孔を開ける方法としては、熱針を突き刺して孔を開ける方法や、型抜きによる方法等がある。孔の形状としては、例えば円、三角、四角、六角等、特に限定するものではない。
【００２１】
上記の有孔フィルム１５は、湯切りの際にフィルムの破れが生じない程度の強度を有していることが望ましく、かつ、第二接着層１４から剥離可能であるフィルムと、ヒートシールによりフランジ１ａと接着可能なシーラント材とから構成されていることが望ましい。上記剥離可能であるフィルムは、第二接着層１４と相溶性が無いことが望ましく、また、上記シーラント材と接着させるために片面に熱接着性樹脂層が積層されていると望ましい。この熱接着性樹脂層とは、ヒートシールが可能な樹脂の層であり、この樹脂としては、例えば、ポリエチレン等のポリオレフィンが挙げられる。また、このように、第二接着層１４と相溶性の無い上記剥離可能であるフィルムとしては、特に限定されるものではなく、例えば第二接着層１４が低密度ポリエチレンであれば、ＯＰＰフィルム等が挙げられる。このように、ＯＰＰフィルムに上記熱接着性樹脂層を積層したものとしては、例えば、片面ヒートシールＯＰＰフィルムと呼ばれるフィルムが挙げられる。
【００２２】
上記シーラント材の材料としては、容器本体１のフランジ１ａと接着可能であれば特に限定されるものではないが、押出ラミネート用熱可塑性樹脂であると望ましい。これを用いると、押出ラミネート法によって上記剥離可能なフィルムに直接積層することができ、別に接着剤を用いずに済むという利点がある。
【００２３】
上記の第一接着層１２は、基材フィルム１１とバリアフィルム１３とを接着させるためのものであり、上記の第二接着層１４は、バリアフィルム１３と有孔フィルム１５とを接着させるためのものである。これらに用いる材料の例としては、低密度ポリエチレン等が挙げられる。
【００２４】
次に、積層方法について説明する。接着の順序としては特に限定されるものではないが、例えば、先に第一接着層１２を挟む、基材フィルム１１／第一接着層１２／バリアフィルム１３からなる複合フィルムを先に積層させ、それからこの複合フィルムに第二接着層１４を介して有孔フィルム１５を積層させると望ましい。この順序で行うことにより、伸びの少ないフィルムから積層させることができ、フィルムを安定に積層させることができる。逆から積層させると、有孔フィルム１５の伸縮により、バリアフィルム１３のアルミニウム箔等が割れるおそれがある。
【００２５】
このような順序で積層させる場合、例えば、第一接着層１２と第二接着層１４とを形成させる方法としては、押出ラミネート法で低密度ポリエチレンを溶融押出して、前後のフィルムを積層する方法が挙げられる。また特に、第二接着層１４を低密度ポリエチレンで形成させる際の溶融押出温度は、２５０〜２９０℃とすることが望ましく、２７０〜２８０℃であればより望ましい。２５０℃未満であると成形が難しくなる場合があり、２９０℃を超えると上記の接着層１４と有孔フィルム１５との間での剥離が難しくなる場合がある。
【００２６】
また、第二接着層１４を積層させる前に、基材フィルム１１からバリアフィルム１３までを積層させた複合フィルムのバリアフィルム１３側の面に、あらかじめアンカーコートを施しておくと、バリアフィルム１３と第二接着層１４との接着強度が増すので好ましい。同様の理由により、第二接着層１４を低密度ポリエチレンで形成させる際に、溶融押出された低密度ポリエチレンにオゾンを吹きつけて酸化させると、バリアフィルム１３と第二接着層１４との接着強度がさらに増すので好ましい。
【００２７】
上記の第二接着層１４と有孔フィルム１５との接着強度は、０．２〜１．０Ｎ／１５ｍｍであることが望ましく、０．３〜０．６Ｎ／１５ｍｍであればより望ましい。また、上記のバリアフィルム１３と第二接着層１４との接着強度は、１．０〜２０Ｎ／１５ｍｍであることが望ましく、３．０〜１０Ｎ／１５ｍｍであればより望ましい。上記の第二接着層１４と有孔フィルム１５との接着強度が、上記のバリアフィルム１３と第二接着層１４との接着強度より低いと、上記蓋材２が第二接着層１４と有孔フィルム１５との間で剥がれやすく、有孔フィルム１５のみを残しやすくなる。ただし、各々の接着強度の差が小さいと、上記の第二接着層１４と有孔フィルム１５との間だけではなく、上記のバリアフィルム１３と第二接着層１４との間でも剥がれるおそれがあるため、接着強度に差があるほど望ましい。また、上記バリアフィルム１３と第二接着層１４との接着強度は、高いほど望ましいが、２０Ｎ／１５ｍｍを超えることは現実的でない。一方で、上記の第二接着層１４と有孔フィルム１５との間の接着強度が０．２Ｎ／１５ｍｍ未満であると、力を加えなくても剥がれてしまう可能性があるため、望ましくない。
【００２８】
また、上記蓋材２と容器本体１との接着強度は、上記の第二接着層１４と有孔フィルム１５との接着強度よりも高いことが好ましい。上記蓋材２と容器本体１との接着強度の方が低いと、湯切り口を開けようとして蓋材２が有孔フィルム１５ごと剥がれる可能性がある。
【００２９】
上記のような構成からなる蓋材２は、図１（ａ）及び図３（ａ）に示すように、容器本体１の開口部を覆う蓋材本体からフランジ１ａの外に張り出している、湯切り用張出部３１を有していることが必要である。この湯切り用張出部３１は、上記蓋材２の面の一部分において第二接着層１４より外部の層を剥ぎとって、有孔フィルム１５のみを残して湯切り口を形成させるために、手で摘むための部位である。なお、図中の破線３５は、フランジ１ａとの接触領域を示す仮想的な線である。
【００３０】
また、上記蓋材２は、図２（ａ）及び図３（ｂ）に示すように、湯切り用張出部３１の外周の所定の一点Ａから、フランジ１ａと蓋材２とが接着された所定の第一接着部Ｂまで、上記第一接着部Ｂから、湯切り用張出部３１内のフランジ１ａと蓋材２とが接着する部分である弧状ラインＣを経由して所定の第二接着部Ｄまで、かつ、上記第二接着部Ｄから、湯切り用張出部３１の外周の他の所定の一点Ｅまでのそれぞれの間に、有孔フィルム１５側から有孔フィルム１５を貫通して第二接着層１４まで達する切り込み３２が設けられていることが必要である。
【００３１】
この切り込み３２と周縁とによって囲まれた湯切り用張出部３１のいずれかを摘んで蓋材２を剥がそうとすると、切り込み３２によって剥がす力が第二接着層１４にかかる。ここで、第二接着層１４と有孔フィルム１５との接着強度よりも、バリアフィルム１３と第二接着層１４との接着強度、及び、有孔フィルム１５とフランジ１ａとの接着強度の方が強いと、有孔フィルム１５を容器本体１に接着させたまま、図２（ｂ）に示すように、第二接着層１４から基材フィルム１１までを剥がすことができる。このように剥がしやすくするために、第二接着層１４と、有孔フィルム１５との境界面において、少なくとも切り込み３２の周囲に離型剤を塗布して、離型層を設けているとより望ましい。
【００３２】
さらに、上記の蓋材２には、図１（ａ）及び図３（ａ）に示すように、蓋材２の周縁部の一端から、蓋材２の周縁部の別の一端へ向かって、基材フィルム１１から第二接着層１４まで貫通された剥離用切目線３３を設けてあることが望ましい。この剥離用切目線３３は直線であると線を入れやすく望ましいが、必ずしも直線でなくてもよく、曲線であってもよい。また、それぞれの周縁部の一端が上記の所定の一点Ａ及び他の一点Ｅと共通であるとより望ましい。さらに、上記第一接触部Ｂ及び上記第二接触部Ｄまで剥離用切目線３３も共通であり、そこから切り込み３２と剥離用切目線３３とが分かれると構造上より望ましい。これにより、切り込み３２の両端部には剥離用切目線３３の両端部と合わせて、蓋材２を貫通するノッチが設けられていると望ましい。
【００３３】
なお、上記の湯切り用張出部３１の外周の所定の一点Ａ及び他の一点Ｅとは、湯切り時に有孔フィルム１５を露出させるためにめくられた蓋材２の両外縁端となる位置、すなわち、有孔フィルム１５を露出させるために蓋材２をめくったとき、めくられた蓋材２とめくられない蓋材２との境界部の両端となる位置である。また、上記のフランジ１ａと蓋材２とが接着された所定の第一接着部Ｂ及び第二接着部Ｄとは、有孔フィルム１５を露出させるために蓋材２をめくったとき、露出した有孔フィルム１５とめくられていない蓋材２との境界の、フランジ１ａ上の外縁部である。さらに、上記の湯切り用張出部３１内のフランジ１ａと蓋材２とが接着する部分である弧状ラインＣとは、フランジ１ａの上に位置し、湯切り時に蓋材２を剥がした後は、フランジ１ａ上に残る有孔フィルム１５の外縁となる。
【００３４】
上記湯切り用張出部３１は、この剥離用切目線３３によって区切られる蓋材２の二つの領域のうち、少なくとも一つの領域側で、蓋材２を剥がすために指で摘める面積と形状とを持っていることが必要である。また、この領域側の有孔フィルム１５には、２つ以上の上記孔が開いていることが必要である。
【００３５】
この剥離用切目線３３により、湯切り用張出部３１から蓋材２を剥がして有孔フィルム１５を露出させる際に、蓋材２の全域を剥がすのではなく、図１（ｃ）に示すように、剥離用切目線３３で分けられた一方の領域だけを剥がすことができる。なお、有孔フィルム１５はこの領域に、上記孔を有している必要がある。剥離用切目線３３を設けていると、この領域だけが、湯切り用張出部３１から蓋材２を剥がした際に剥がれる部分であるため、この領域内に孔が無くてはこの発明の効果が望めなくなってしまうためである。
【００３６】
また、蓋材２には注湯用摘み部３４を設けていることが望ましい。湯切り口を開かせるには、湯切り用張出部３１から剥離用切目線３３まで蓋材２の基材フィルム１１から第二接着層１４までをはぎ取るが、そのままでは湯を入れるのが難しく、別の口から蓋材を剥がして湯を注ぐ口を作らなければならないからである。このため、上記の注湯用摘み部３４は、剥離用切目線３３で分けられた二つの領域のうち、湯切り用張出部３１から剥離することによって孔が露出する側の反対側の領域に設けることが望ましい。
【実施例】
【００３７】
以下、実施例によりこの発明をさらに詳細に説明する。それぞれの素材としては以下のものを使用した。
・容器本体・・開口部が直径１８０ｍｍで、容積１０００ｍｌの丸型カップ
・基材フィルム・・片アート紙（日本製紙（株）製  ７９．１ｇ／ｍ2）
・バリアフィルム・・アルミニウム箔（東洋アルミニウム（株）製：アルミ箔  厚さ７μｍ）
・有孔フィルム・・片面ヒートシールＯＰＰフィルム（サン・トックス（株）製：サントックスＯＰ  片面に熱接着性樹脂層を積層させたＯＰＰフィルム  厚さ３０μｍ）にシーラント材（三井・デュポンポリケミカル（株）製：ＣＭＰＳ  厚さ２０μｍ）を、溶融押出温度を２５０℃に設定した押出ラミネート法によりヒートシール可能な側の面を介して積層したフィルムに、各々所定の孔径と孔間隔で型抜きを行い、孔を開けたもの
・内容物の食品・・乾麺１００ｇとかやく
【００３８】
蓋材の作製は以下の手順により行った。まず、基材フィルムとバリアフィルムとを、溶融押出温度を３２０℃に設定した押出ラミネート法によって低密度ポリエチレン（三井化学（株）製：ミラソン  密度＝０．９１９  以下、「ＰＥ」と略す。）を厚さ２０μｍの第一接着層として貼り合わせ、複合フィルムとした。さらに、この複合フィルムのバリアフィルム面にアンカーコートを施し、押出ラミネート法によって、溶融押出温度２７０℃で溶融押出されたＰＥに対して、バリアフィルムと装着される面にオゾンを吹き付けて酸化を促進させながら、ＰＥを厚さ２０μｍの第二接着層として、有孔フィルムと貼り合わせて、積層フィルムとした。
【００３９】
上記の積層フィルムを、１つの摘み部とその反対側を中心に半周以上を占める湯切り用張出部とを有する円形の蓋材として型抜きした。これと同時に、湯切り用張出部の一端から別の一端まで摘み部に対向する弦を描く位置に、基材フィルムから第二接着層まで達する剥離用切目線を入れた。さらに、剥離用切目線の始まる湯切り用張出部の一端から剥離用切目線に沿い、この剥離用切目線とフランジとが交差する第一接着部で有孔フィルムに孔のある側のフランジと蓋材の接触する部分に沿い、剥離用切目線とフランジとがもう一箇所で交差する第二接着部で再び剥離用切り目線に沿う、有孔フィルムから第二接着層まで達する切り込みを入れ、蓋材を作製した。この蓋材を容器本体へヒートシールした。
【００４０】
［湯切り適性］
（実施例１、２）
有孔フィルムに開ける孔を、孔の中心同士の間隔を１０ｍｍとし、孔の直径を２．５ｍｍ（実施例１）、４ｍｍ（実施例２）として上記の蓋材を作製し、注湯用摘み部から蓋材を剥がして１００℃４００ｍｌの湯を注湯し、３分経過後に、湯切り用摘み部から蓋材を剥がして有孔フィルムを露出させ、容器を９０度傾けて湯切りを行った。その結果を表１に示す。なお、使い勝手は、排湯が２０秒以内に完了し、かつ、麺とかやくとが流出しないものを「〇」とし、排湯完了までの時間が２０秒を超えるものを「×１」、麺やかやくが流出するものを「×２」とした。
【００４１】
（比較例１、２）
孔の直径を１ｍｍ（比較例１）、６ｍｍ（比較例２）とした以外は実施例１と同様にして蓋材を作製し、湯切りを行った。その結果を表１に示す。
【００４２】
【表１】
2005047554.tif 000003
【００４３】
（実施例３、４）
有孔フィルムに開ける孔を、孔の直径を２ｍｍとし、孔の中心同士の間隔を５ｍｍ（実施例３）、１０ｍｍ（実施例４）として上記の蓋材を作製し、湯切りを行った。その結果を表２に示す。
【００４４】
（比較例３）
孔の中心同士の間隔を１５ｍｍとした以外は実施例３と同様にして蓋材を作製し、湯きりを行った。その結果を表２に示す。
【００４５】
【表２】
2005047554.tif 000004
【００４６】
［接着強度による適性］
（実施例５〜８）
第二接着層と有孔フィルムとの接着強度が０．１（実施例５）、０．２（実施例６）、１．０（実施例７）、１．５（実施例８）Ｎ／１５ｍｍである蓋材を作製し、容器本体にヒートシールして容器を作製した。なお、測定はＪＩＳ  Ｋ  ７１２７の通りに行い、測定条件は９０°剥離、引張強度は３００ｍｍ／ｍｉｎとした。この容器から、蓋材の基材フィルムから第二接着層までを、人手により剥離するよう試みた。その結果を表３に示す。
【００４７】
【表３】
2005047554.tif 000005
【００４８】
［押出ラミネートの溶融樹脂温度による適性］
（実施例９〜１２）
バリアフィルムと有孔フィルムとを接着させる第二接着層にするＰＥを溶融押出する温度を、それぞれ２４０℃（実施例９）、２５０℃（実施例１０）、２９０℃（実施例１１）、３００℃（実施例１２）に変更して、蓋材を作製した。その結果を表４に示す。
【００４９】
【表４】
2005047554.tif 000006
【図面の簡単な説明】
【００５０】
【図１】（ａ）この発明にかかる食品容器の外観図、（ｂ）（ａ）のＬ−Ｌ断面図、（ｃ）湯切りを行う際の食品容器の外観図
【図２】（ａ）この発明にかかる食品容器の部分拡大断面図、（ｂ）湯切り口の蓋材を剥離する際の部分拡大断面図
【図３】（ａ）蓋材の基材フィルム側から見た配置図、（ｂ）蓋材の有孔フィルム側から見た配置図
【符号の説明】
【００５１】
１  容器本体
１ａ  フランジ
２  蓋材
３  内容物の食品
１１  基材フィルム
１２  第一接着層
１３  バリアフィルム
１４  第二接着層
１５  有孔フィルム
３１  湯切り用張出部
３２  切り込み
３３  剥離用切目線
３４  注湯用摘み部
３５  フランジと蓋材との接触領域仮想線
Ａ，Ｅ  湯切り用張出部の所定の一点
Ｂ，Ｄ  第一接着部又は第二接着部
Ｃ  弧状ライン
【図１】
2005047554.tif 000007
【図２】
2005047554.tif 000008
【図３】
2005047554.tif 000009